(57)【要約】ケーブルテレビジョン（ＣＡＴＶ）配信システム（１０）、及びＣＡＴＶ配信システム（１０）の形成及び使用方法である。第１実施形態においては、ナローキャスト光信号（６６）は、非冷却レーザにより生成され、受信器（６８）によりナローキャスト電気信号（７２）へと変換される。第２実施形態においては、非冷却レーザにより生成されたナローキャスト光信号（１９）は、ＣＡＴＶ配信システム（１０）のハブ（１４）における光カプラ（１６）によりブロードキャスト光信号（１３）と結合され、複合光信号（２０）を生成する。複合光信号（２０）は、ＣＡＴＶノード（２４）において、ブロードキャスト及びナローキャスト光コンポーネントに分割され、それぞれブロードキャスト及びナローキャスト電気信号に変換され、複合電気信号（４２）に結合される。第３実施形態においては、ナローキャスト光信号（１９）は、非冷却レーザにより生成され、単一レシーバ（３６）によりブロードキャスト光信号（１３）と結合される。
2004533794.tif 000002
【特許請求の範囲】
【請求項１】
ケーブルテレビジョン（ＣＡＴＶ）配信システム（６０）であって、
ナローキャスト光信号（６６）を生成し得るようにした非冷却レーザを備えることを特徴とするケーブルテレビジョン（ＣＡＴＶ）配信システム（６０）。
【請求項２】
前記ナローキャスト光信号（６６）を受け取り、前記ナローキャスト光信号（６６）をナローキャスト電気信号（７２）に変換し得るようにした受信器（６８）を含むＣＡＴＶノード（７０）を更に備えることを特徴とする請求項１に記載のＣＡＴＶ配信システム（６０）。
【請求項３】
ハブ（１４）に光カプラ（１６）を備え、
前記光カプラ（１６）は、ブロードキャスト光信号（１３）とナローキャスト光信号（１９）の両方を受信し、更に前記ナローキャスト光信号（１９）と前記ブロードキャスト光信号（１３）を結合し、複合光信号（２０）を生成し得るようにした、
ことを特徴とする請求項１に記載の配信システム（１０）。
【請求項４】
前記ナローキャスト光信号（１９）は、前記ナローキャスト光信号（１９）内の１つ以上の周波数においてナローキャスト歪みを有し、
前記ナローキャスト歪みは、２次歪みと３次歪みのうちの少なくとも１つを含み、１つ以上の前記周波数の各周波数における前記ナローキャスト歪みは、ブロードキャスト光信号（１３）の帯域幅内であり、
前記ＣＡＴＶ配信システム（１０）は、前記非冷却レーザに結合された線形化回路（１５）を備え、前記線形化回路（１５）は、前記ナローキャスト歪みを、前記ブロードキャスト光信号（１３）のノイズレベル許容度内に減少し得るようにした、
ことを特徴とする請求項１乃至請求項３に記載の配信システム（１０）。
【請求項５】
前記ナローキャスト光信号（１９）の帯域幅が、１オクターブを超えないことを特徴とする請求項４に記載のＣＡＴＶ配信システム（１０）。
【請求項６】
前記線形化回路（１５）は、信号分割位相シフト（ＳＳＰＳ）回路を含むことを特徴とする請求項４に記載のＣＡＴＶ配信システム（１０）。
【請求項７】
前記複合光信号（２０）を、前記ナローキャスト光信号（３２）と前記ブロードキャスト光信号（３１）とに分割し得るようにした光デマルチプレクサ（３０）と、
前記光デマルチプレクサ（３０）で生成された前記ナローキャスト光信号（３２）を受信し、受信した前記ナローキャスト光信号（３２）を、ナローキャスト電気信号（３８）に変換し得るようにしたナローキャスト受信器（３５）と、
前記光デマルチプレクサ（３０）で生成された前記ブロードキャスト光信号（３１）を受信し、受信した前記ブロードキャスト光信号（３１）を、ブロードキャスト電気信号（３７）に変換し得るようにしたブロードキャスト受信器（３４）と、
前記ナローキャスト電気信号（３８）と前記ブロードキャスト電気信号（３７）を結合し、複合電気信号（４２）を生成し得るようにした電気カプラ（４０）と、
を含むＣＡＴＶノード（２４）を備えることを特徴とする請求項３に記載の配信システム（１０）。
【請求項８】
ケーブルテレビジョン（ＣＡＴＶ）配信システム（６０）の形成方法であって、ナローキャスト光信号（６６）を生成し得るようにした非冷却レーザの提供を含むことを特徴とする方法。
【請求項９】
前記ナローキャスト光信号（６６）を受信し、前記ナローキャスト光信号（６６）を、ナローキャスト電気信号（７２）に変換し得るようにした受信器（６８）を含むＣＡＴＶノード（７０）の提供を更に含むことを特徴とする請求項８に記載の方法。
【請求項１０】
ハブ（１４）に光カプラ（１６）を設け、前記光カプラ（１６）は、ブロードキャスト光信号（１３）とナローキャスト光信号（１９）の両方を受信し、更に前記ナローキャスト光信号（１９）と前記ブロードキャスト光信号（１３）を結合し、複合光信号（２０）を生成し得るようにした、ことを特徴とする請求項８に記載の方法。
【発明の詳細な説明】
【技術分野】
【０００１】
本発明は、ケーブルテレビジョン（ＣＡＴＶ）配信システムにおける、ナローキャスト信号及びその生成と使用の方法に関する。
【背景技術】
【０００２】
ケーブルテレビジョン（ＣＡＴＶ）配信システムは、ブロードキャスト信号とナローキャスト信号を送信する。ブロードキャスト信号が、全てのエンドユーザへの送信を意図しているのに対し、ナローキャスト信号は、限られたエンドユーザのグループへの選択的な送信を意図している。ブロードキャスト信号は、ヘッドエンドからハブへと送信される。ナローキャスト信号は、ハブ内で生成される。ハブにおける送信器が、ＣＡＴＶノードへ、ブロードキャスト信号と結合されたナローキャスト信号を送信する。あいにく、ハブにおける送信器は高価である。また、ナローキャスト信号の生成も、コストが高い。よって、ＣＡＴＶ配信システムのハブ内でのナローキャスト信号の生成及び送信に関して、低コスト化の要求がある。
【発明の開示】
【課題を解決するための手段】
【０００３】
本発明は、ナローキャスト光信号を生成し得るようにした非冷却レーザを備えるケーブルテレビジョン（ＣＡＴＶ）配信システムを提供する。
【０００４】
本発明は、ナローキャスト光信号を生成し得るようにした非冷却レーザと、
ブロードキャスト光信号とナローキャスト光信号の両方を受信し、更にナローキャスト光信号とブロードキャスト光信号を結合し、複合光信号を生成し得るようにしたハブにおける光カプラと、を備えるケーブルＴＶ（ＣＡＴＶ）配信システムを提供する。
【０００５】
本発明は、ナローキャスト光信号を生成し得るようにした非冷却レーザの提供を含む、ケーブルＴＶ（ＣＡＴＶ）配信システムの形成方法を提供する。
【０００６】
本発明は、ナローキャスト光信号を生成し得るようにした非冷却レーザの提供と、
ハブにおける光カプラであって、ブロードキャスト光信号とナローキャスト光信号の両方を受信し、更にナローキャスト光信号とブロードキャスト光信号を結合し、複合光信号を生成し得るようにした光カプラの提供と、を含むことを特徴とするケーブルＴＶ（ＣＡＴＶ）配信システムの形成方法を提供する。
【０００７】
本発明は、非冷却レーザによるナローキャスト光信号の生成を含むケーブルテレビジョン（ＣＡＴＶ）配信システムの使用方法を提供する。
【０００８】
本発明は、ナローキャスト光信号内の１つ以上の周波数においてナローキャスト歪みを有するナローキャスト光信号の非冷却レーザによる生成であって、ナローキャスト歪みは、２次歪みと３次歪みのうちの少なくとも１つを含み、１つ以上の周波数の各周波数におけるナローキャスト歪みは、ブロードキャスト光信号の帯域幅内であるナローキャスト光信号の生成と、
ナローキャスト光信号の、修正ナローキャスト光信号への変換であって、ナローキャスト歪みがブロードキャスト光信号のノイズレベル許容度内に減少されており、線形化回路により達成される変換と、
ハブにおける光カプラによる、ブロードキャスト光信号と修正ナローキャスト光信号の受信と、
光カプラによる、修正ナローキャスト光信号とブロードキャスト光信号の結合による、複合光信号の生成と、を含むケーブルＴＶ（ＣＡＴＶ）配信システムの使用方法を提供する。
【発明の効果】
【０００９】
本発明は、ＣＡＴＶ配信システムのハブ内におけるナローキャスト信号生成及び送信のコストを低下させる。
【発明を実施するための最良の形態】
【００１０】
図１は、本発明の実施形態に係るケーブルテレビジョン（ＣＡＴＶ）配信システム１０のブロック図である。ＣＡＴＶ配信システム１０は、ＣＡＴＶハブ１４において、光カプラ１６を含み、光カプラ１６は、ブロードキャスト光信号１３をナローキャスト光信号１９と結合し、複合光信号２０を形成する。光カプラ１６は、複数の光信号を複合光信号へと結合するための、当業者に周知の任意の装置（例えば、波長分割多重（ＷＤＭ：Wavelength Division Multiplexing）装置）を備える。複合光信号２０は、ＣＡＴＶノード２４へと送信される。ＣＡＴＶノード２４は、複合光信号２０を複合電気信号４２に変換し、端末サイト、特にセットトップボックス等へと送信する。図１では１つのＣＡＴＶハブ１４しか示していないが、ＣＡＴＶ配信システム１０は、このようなＣＡＴＶハブ１４を複数含んでもよい。同様に、図１では１つのＣＡＴＶノード２４しか示していないが、ＣＡＴＶ配信システム１０は、それぞれのＣＡＴＶハブ１４に結合されたこのようなＣＡＴＶノード２４を複数含んでもよい。
【００１１】
図１において、ブロードキャスト光信号１３は、光ネットワーク８１を通し、ブロードキャストソース１２からハブ１４へと送信される。光ネットワーク８１は、様々な長さで、様々な種類の光ファイバ、特に信号モードファイバや分散シフトファイバ等を含む。光ネットワーク８１は、また、特にエルビウムドープファイバアンプ（ＥＤＦＡ：Erbium Doped Fiber Amplifier）、半導体光アンプ（ＳＯＡ：Semiconductor Optical Amplifier）、高密度波長分割マルチプレクサ（ＤＷＤＭ：Dense Wavelength Division Multiplexer）、及び他の類似の光装置を含む場合もある。ブロードキャスト光信号１３は、特に５０〜５５０ＭＨＺ程度の周波数帯域で変調された、特に１５５０ナノメートル（ｎｍ）程度の搬送波周波数で伝播される。ブロードキャストソース１２においてブロードキャスト光信号１３を生成する、他の代替的方法がある。第１の代替的方法として、ブロードキャスト光信号１３を、外部変調信号とすることができる。外部変調信号の例としては、信号を変調する外部変調器を通過するレーザ生成信号が挙げられる。第２の代替的方法として、ブロードキャスト光信号１３を、直接変調信号とすることができる。直接変調信号の例としては、レーザ生成信号をその生成時に変調するなどの、レーザ自体の変調が挙げられる。外部変調信号及び直接変調信号は、それぞれヘッドエンドによって生成され、光ファイバを介してハブ１４に送信することができる。第３の代替的方法として、ブロードキャスト光信号１３を、送信に光ファイバを用いずに、ローカル衛星ファームソースから直接ハブ１４に照射することができる。
【００１２】
図１は、ナローキャスト光信号１９を生成し、ナローキャスト光信号１９を光カプラ１６へ送信するするナローキャストソース１８を示している。光カプラ１６は、ハブ１４内にある。ナローキャストソース１８は、図１においてはハブ１４内にあるものとして示されているが、ナローキャストソース１８は、ナローキャスト光信号１９を、外部ナローキャストソース１８からハブ１４へパイプするなどして、ハブ１４の外部にあってもよい。
【００１３】
ナローキャストソース１８は、非冷却レーザである。非冷却レーザは、特に５７０〜８７０ＭＨＺ程度の周波数帯域で変調された、特に１３１０ｎｍ程度の搬送波波長のナローキャスト光信号１９を生成する。一般的に、ナローキャスト光信号１９とブロードキャスト光信号１３は、異なる搬送波波長を有する。非冷却レーザは、特別な冷却装置を用いずに、熱を周囲環境に散逸させるレーザである。非冷却レーザには、特に分散フィードバック（ＤＦＢ：Distributed Feedback）レーザや、垂直共振器型面発光レーザ（ＶＣＳＥＬ：Vertical Cavity Surface Emitting Laser）が挙げられる。本発明による非冷却レーザは、安価であり、また、安価な光カプラ１６の使用を可能にする。従って、非冷却レーザの使用は、ハブ１４における比較的高価な送信器と比べて、実質的にコストを低下させる。このような高価な送信器は、従来の関連技術において用いられている。
【００１４】
光ネットワーク８２を通じてノード２４へと送信される複合光信号２０は、ノード２４の光デマルチプレクサ３０によって受信される。光ネットワーク８２は、上述の光ネットワーク８１と同様のものである。光デマルチプレクサ３０は、複合光信号２０を、ナローキャスト光信号３２（ナローキャスト光信号１９と同等）と、ブロードキャスト光信号３１（ブロードキャスト光信号１３と同等）に分割する。光デマルチプレクサ３０は、複合光信号を複数の光信号に分割するための、当業者に周知の任意の装置を備える（例えば、ＷＤＭ装置）。
【００１５】
更に、ノード２４は、ブロードキャスト受信器３４と、ナローキャスト受信器３５と、電気カプラ４０とを備える。ブロードキャスト受信器３４は、ブロードキャスト光信号３１を受信し、ブロードキャスト光信号３１を、ブロードキャスト電気信号３７へと変換する。ナローキャスト受信器３５は、ナローキャスト光信号３２を受信し、ナローキャスト光信号３２を、ナローキャスト電気信号３８へと変換する。電気カプラ４０は、ナローキャスト電気信号３８を、ブロードキャスト電気信号３７と結合し、複合電気信号４２を生成する。電気カプラ４０は、複数の電気信号を１つの複合電気信号へと結合するための、当業者に周知の任意の装置を備える（例えば、コンバインデュプレックス）。
【００１６】
図６は、ブロードキャスト光信号１３又は同等のブロードキャスト光信号３１に関連する、代表的な５０〜５５０ＭＨＺのブロードキャスト信号周波数帯域幅を表わしている。ブロードキャスト信号周波数帯域幅の他の例としては、特に５０〜７５０ＭＨＺ、５０〜１０００ＭＨＺ等が挙げられる。図６は、また、ナローキャスト光信号１９又は同等のナローキャスト光信号３２に関連する、代表的な５７０〜８７０ＭＨＺのナローキャスト信号周波数帯域幅も表わしている。他のナローキャスト信号周波数帯域幅を用いることも、可能である。図６は、ブロードキャスト信号周波数帯より高い周波数のナローキャスト信号周波数帯を示しているが、ナローキャスト信号周波数帯は、ブロードキャスト信号周波数帯より低い周波数であってもよい。図６は、重複していないナローキャスト及びブロードキャスト信号周波数帯を示しているが、ナローキャスト及びブロードキャスト信号周波数帯は、後述する条件下において重複させることもできる。
【００１７】
図６は、図１のブロードキャスト光信号１３に対し、１つの連続するブロードキャスト信号周波数帯を示し、また、図１のナローキャスト光信号１９に対し、１つの連続するナローキャスト信号周波数帯を示しているが、ナローキャスト及びブロードキャスト信号周波数帯は、図７に示すように、それぞれ分配することもできる。ブロードキャスト信号周波数帯は、これに含まれる周波数が非連続の場合に分配される。ナローキャスト信号周波数帯は、これに含まれる周波数が非連続の場合に分配される。図７は、本発明の実施形態に係る分配されたブロードキャスト信号周波数帯Ｂ１及びＢ２、及び、分配されたナローキャスト信号周波数帯Ｎ１及びＮ２を表わす。図７は、図１のブロードキャスト光信号１３に関連する２つの非連続ブロードキャスト信号周波数帯Ｂ１及びＢ２を示しているが、図１のブロードキャスト光信号１３は、任意の数の、このような非連続ブロードキャスト信号周波数帯を含んでもよい。図７は、図１のナローキャスト光信号１９に関連する２つの非連続ナローキャスト信号周波数帯Ｎ１及びＮ２を示しているが、図１のナローキャスト光信号１９は、任意の数の、このような非連続ナローキャスト信号周波数帯を含んでもよい。
【００１８】
図１のブロードキャスト受信器３４とナローキャスト受信器３５は、通常、分離している必要がある。これは、ナローキャスト周波数帯が、ブロードキャスト受信器３４からは周波数歪みとして見えるためである。従って、図１のブロードキャスト光信号１３により起こる歪みが、ナローキャスト光信号１９に関連する歪みにより悪影響を受けない場合は、図１のブロードキャスト受信器３４及びナローキャスト受信器３５は、図２に示す単一受信器３６と置き換えることができる。図２では、図１の光カプラ１６、光デマルチプレクサ３０、及び電気カプラ４０は必要でないため、示されていない。更に、ナローキャスト光信号１９は、光ネットワーク８３を通して、ナローキャストソース１８から単一受信器３６へと送信することができ、また、この光ネットワーク８３は、図１と関連して上述した光ネットワーク８１と同様のものである。
【００１９】
図２において、受信器３６は、入力として、ブロードキャスト光信号１３及びナローキャスト光信号１９を受信し、出力として、複合電気信号４２を生成する。例えば、図２のＣＡＴＶ配信システム１０は、ブロードキャスト受信器３４が、搬送波対ノイズ比（ＣＮＲ：Carrier to Noise Ratio）、複合２次歪み（ＣＳＯ：Composite Second Order Distortion）、及び複合３次歪み（ＣＴＢ：Composite Triple Beat）について、ナローキャスト光信号１９による悪影響を受けない場合に適用される。なお、非冷却レーザは、非線形装置であり、このような２次周波数歪み及び３次周波数歪みを有するナローキャスト歪み信号を生成する可能性がある。他の例として、図２のＣＡＴＶ配信システム１０は、ナローキャスト光信号１９の帯域幅ＦＮが、ブロードキャスト光信号１３の最低周波数ＦＢ１未満の場合に適用される。ＦＮ＜ＦＢ１の場合、ナローキャスト光信号１９により起こる周波数歪みは、ブロードキャスト光信号１３の帯域幅の外側となり、ブロードキャスト光信号１３に歪みを起こさない。よって、ブロードキャスト光信号１３が５０〜５５０ＭＨＺの周波数帯を有し、ナローキャスト光信号１９が５７０〜６１０ＭＨＺの周波数帯を有する場合、ＦＮ＝４０ＭＨＺ及びＦＢ１＝５０ＭＨＺとなる。ＦＮ＜ＦＢ１であるため、図２の単一受信器３６は、図１のブロードキャスト受信器３４及びナローキャスト受信器３５の代わりに使用することができる。
【００２０】
一方で、ブロードキャスト光信号１３が５０〜５５０ＭＨＺの周波数帯を有し、ナローキャスト光信号１９が５５０〜８６０ＭＨＺの周波数帯を有する場合、ＦＮ＝３１０ＭＨＺ及びＦＢ１＝５０ＭＨＺとなる。ＦＮがブロードキャスト光信号１３の帯域幅内であるため、ナローキャスト光信号１９によって起きる２次歪み（ＣＳＯ）及び３次歪み（ＣＴＢ）は、ブロードキャスト光信号１３の帯域幅内となる。結果として、図２の単一受信器３６の使用は、ＣＳＯ及びＣＴＢ歪みを防止又は除去することが可能でない限り、不適当となる。幸いにも、ＣＳＯ及びＣＴＢ歪みは、次に述べる線形化回路を用いて防止又は除去することができる。
【００２１】
図３は、図１におけるナローキャスト光信号１９内の周波数歪みを、本発明の実施形態に従い、線形化回路１５により除去又は実質的に減少させた状態を表わしている。図３において、線形化回路１５は、無線周波数（ＲＦ）信号２２を信号１７に変換する。信号１７は、ナローキャストソース１８の非冷却レーザによって用いられ、ナローキャスト歪みがブロードキャスト光信号１３のノイズレベル許容度内まで減少された、ナローキャスト光信号１９を生成する。ノイズレベル許容度はアプリケーションに依存し、Ｋをアプリケーション依存で特に０．５程度の値であるとして、とりわけ、Ｋを超えるデシベルでは減少されていない搬送波対ノイズ比（ＣＮＲ）として表現することができる。
【００２２】
図３において、ナローキャスト光信号１９は、光カプラ１６によってブロードキャスト光信号１３と結合され、複合光信号２０を形成する。あるいは、線形化回路１５により周波数歪みが除去又は実質的に減少されているため、図３のナローキャスト光信号１９は、図２の単一受信器３６と同様の単一受信器によってブロードキャスト光信号１３と結合させることもできる。このような、図３の単一受信器は、ブロードキャスト受信器３４及びナローキャスト受信器３５の代わりとなり、また、光カプラ１６、光デマルチプレクサ３０、及び電気カプラ４０を不要にする。
【００２３】
図４は、図３の線形化回路１５の実施形態である線形化回路２５を表わす。図４において、無線周波数（ＲＦ）信号２２が、線形化回路２５の回路ノード４５に、電流（Ｉ）として入る。ここで、電流Ｉの第１部分（Ｉ１）が、回路パス４６に流れ込み、電流（Ｉ）の残り部分（Ｉ２＝Ｉ−Ｉ１）が、回路パス４７に流れ込む。電流Ｉ１及びＩ２は、回路ノード４８において再結合し、この再結合した電流が、信号１７に変換される。信号１７は、ナローキャストソース１８の非冷却レーザによって用いられ、ナローキャスト光信号１９を生成する（図３を参照）。図４において、回路パス４６は、位相遅延回路５０を含む。位相遅延回路５０は、Ｉ１の位相を、Ｉ２の位相に対して１８０度シフトする機能を持つ。回路パス４７は、非線形装置５４を含む。非線形装置５４は、特にダイオード等であり、その目的は、図３のナローキャストソース１８の非冷却レーザにより生成された、対応する２次歪み２（Ｉ１）及び３次歪み３（Ｉ１）のＩ１と、Ｉ２がほぼ同じ大きさとなる２次歪み２（Ｉ２）及び３次歪み３（Ｉ２）を生成することである。図４に示すように、インピーダンス５８及び５２のうち少なくとも１つが存在することで、歪み振幅を調整し、２（Ｉ２）と２（Ｉ１）の大きさをほぼ等しくさせ、また、３（Ｉ２）と３（Ｉ１）の大きさをほぼ等しくさせることにより、Ｉ１における１８０度の位相シフトの観点から、２（Ｉ２）と２（Ｉ１）とが互いに相殺され、また、３（Ｉ２）と３（Ｉ１）とが互いに相殺されることになる。このような歪みの相殺は、１つの周波数で容易に達成できるが、回路パス４６にはスロープイコライザ５６が存在し、ブロードキャスト光信号１３の帯域幅内の第２及び第３高調波を有するナローキャスト光信号１９のすべての周波数において、このような相殺を実行する。スロープイコライザ５６は、Ｉ２における可変位相調整を、周波数の関数として達成する。スロープイコライザ５６が、すべてのそのような関連周波数においての歪みの完全な相殺を達成できない場合は、スロープイコライザ５６を用いて、歪みがもっとも大きい周波数に対する最適な歪み相殺を実行することができる。線形化回路２５を教示する図４が与えられれば、当業者は過度の実験を行わずとも、線形化回路２５を作製し実施することができるであろう。図４の線形化回路２５は、信号分割位相シフト（ＳＳＳＰ：Signal Splitting Phase Shifting）回路を例示している。
【００２４】
ナローキャスト光信号１９は、図６で示す５７０〜８７０ＭＨＺ帯のように、１オクターブを超えない帯域幅を持つことができる。ナローキャスト光信号１９が１オクターブ以内である場合、図３の線形化回路１５及び図４の線形化回路２５を用いての線形化が、容易に達成できる。それでもなお、本発明の範囲は、線形化回路１５又は２５を用いたとしても、ナローキャスト光信号１９が１オクターブを超える帯域幅を持つことをも含む。
【００２５】
図３の線形化回路１５及び図４の線形化回路２５は、それぞれ、図３のブロードキャスト光信号１３及びナローキャスト光信号１９の連続する信号周波数帯と関連して、例えば、図６に示す連続するブロードキャスト及びナローキャスト信号周波数帯のように、用いることができる。図３の線形化回路１５及び図４の線形化回路２５は、また、それぞれ図３のブロードキャスト光信号１３及びナローキャスト光信号１９の非連続の信号周波数帯と関連して、例えば、図７に示す非連続のブロードキャスト及びナローキャスト信号周波数帯のように、用いることができる。しかしながら、非連続の信号周波数帯を用いると、線形化回路２５における歪み電流の純粋な相殺は可能でなくなるため、線形化回路２５を、上述のように、歪みがもっとも大きい周波数に対して最適な歪み相殺を実行するように、同調させることができる。
【００２６】
本発明の範囲は、ブロードキャスト光信号が存在しない場合であっても、非冷却レーザにより生成されるナローキャスト光信号を含む。よって、図５は、本発明の実施形態に係る、ナローキャスト光信号６６を生成するナローキャスト光ソース６４を示す。ナローキャスト光ソース６４は、非冷却レーザを含み、ＣＡＴＶ配信システム６０のハブ６２の内部又は外部に存在可能である。非冷却レーザは、特に、ＤＦＢレーザ又はＶＣＳＥＬレーザを含むことができる。ＣＡＴＶ配信システム６０は、また、受信器６８を含む。受信器６８は、ナローキャスト光信号６６を受信し、ナローキャスト光信号６６を、ナローキャスト光信号７２に変換する。受信器６８は、ＣＡＴＶ配信システム６０のＣＡＴＶノード７０の内部又は外部に存在可能である。ナローキャスト光信号６６は、図１のナローキャスト光信号１９に関して上述した機能及び特性のいずれでも持つことができ、例えば、特に１オクターブを超えない帯域幅を持つことができる。
【００２７】
例示を目的として、本発明の特定の実施形態を説明してきたが、当業者に対しては、多くの修正及び変更が明白となるであろう。よって、付属の特許請求の範囲は、このようなすべての修正及び変更を、本発明の要旨及び範囲に含まれるものとして包含することを意図するものである。
【図面の簡単な説明】
【００２８】
【図１】図１は、本発明の実施形態に係る、非冷却レーザによるナローキャスト光信号の生成を含むケーブルテレビジョン（ＣＡＴＶ）配信システムを示すブロック図である。
【図２】図２は、本発明の実施形態に係る、非冷却レーザによるナローキャスト光信号の生成を含むケーブルテレビジョン（ＣＡＴＶ）配信システムを示すブロック図である。
【図３】図３は、図１における生成されたナローキャスト信号内の周波数歪みを、本発明の実施形態に係る線形化回路により減少又は除去させた状態を示す図である。
【図４】図４は、図３の線形化回路の実施形態を表わす図である。
【図５】図５は、本発明の実施形態に係る、非冷却レーザによるナローキャスト信号の生成を含むケーブルテレビジョン（ＣＡＴＶ）配信システムのブロック図である。
【図６】図６は、本発明の実施形態に係る、代表的なブロードキャスト信号周波数帯及び代表的なナローキャスト信号周波数帯を表わす図である。
【図７】図７は、本発明の実施形態に係る、配信されるブロードキャスト信号周波数帯及び配信されるナローキャスト信号周波数帯を表す図である。
【図１】
2004533794.tif 000003
【図２】
2004533794.tif 000004
【図３】
2004533794.tif 000005
【図４】
2004533794.tif 000006
【図５】
2004533794.tif 000007
【図６】
2004533794.tif 000008
【図７】
2004533794.tif 000009
【国際公開パンフレット】
2004533794.tif 000010
2004533794.tif 000011
2004533794.tif 000012
2004533794.tif 000013
2004533794.tif 000014
2004533794.tif 000015
2004533794.tif 000016
2004533794.tif 000017
2004533794.tif 000018
2004533794.tif 000019
2004533794.tif 000020
2004533794.tif 000021
2004533794.tif 000022
2004533794.tif 000023
2004533794.tif 000024
2004533794.tif 000025
2004533794.tif 000026
【国際公開パンフレット（コレクトバージョン）】
2004533794.tif 000027
【国際調査報告】
2004533794.tif 000028
2004533794.tif 000029
2004533794.tif 000030